(57)【要約】【課題】現像ロールに現像剤を供給することと、現像ロールへの現像剤の供給を遮断することとを、簡易な構成で生産性を低下させることなく行う。【解決手段】現像剤収容器８０が現像剤収容器切り換え経路上に移動し、第１の攪拌搬送部材８６及び第２の攪拌搬送部材８８の回転が停止すると、または逆回転することにより現像剤収容器８０に収容された現像剤の上面の傾斜がなくなる、または逆に傾斜することにより、上述した磁石９０の引付極から現像剤の上面までの距離Ｌ２が、現像剤を引き付けるように引付極の磁力が作用する距離Ｌ０よりも長くなる。距離Ｌ２が距離Ｌ０よりも長くなると、現像剤収容器８０内の現像剤に対して磁石９０の引付極の磁力が作用しないので、現像剤収容器８０から現像ロール６８への現像剤の供給が遮断される。【選択図】図４
2009198977.tif 000002
【特許請求の範囲】
【請求項１】
スリーブ内に磁石を具備し、前記磁石の磁力によって保持する現像剤を像保持体に供給する現像ロールと、
この現像ロールに供給する現像剤を収容する現像剤収容部と、
この現像剤収容部が収容する現像剤を前記磁石の磁力作用範囲内へ移動させることにより、前記現像ロールに現像剤を供給する現像剤供給手段と、
前記現像剤収容部が収容する現像剤と前記磁石との距離を、前記磁石の磁力が作用する距離よりも長くすることにより、前記現像ロールへの現像剤の供給を遮断する供給遮断手段と
を有する現像器。
【請求項２】
前記供給遮断手段は、前記現像剤収容部が収容する現像剤を前記磁石の磁力作用範囲外へ移動させることにより、前記現像ロールへの現像剤の供給を遮断する請求項１記載の現像器。
【請求項３】
前記供給遮断手段は、前記現像剤収容部を移動させることにより、前記現像剤収容部が収容する現像剤と前記磁石との距離を、前記磁石の磁力が作用する距離よりも長くする請求項１又は２記載の現像器。
【請求項４】
前記供給遮断手段は、前記現像剤供給手段が現像剤を移動させることを停止させることにより、前記現像剤収容部が収容する現像剤と前記磁石との距離を、前記磁石の磁力が作用する距離よりも長くする請求項１乃至３いずれか記載の現像器。
【請求項５】
現像剤を退避させるための現像剤退避部をさらに有し、
前記供給遮断手段は、前記現像剤退避部に現像剤を退避させることにより、前記現像ロールへの現像剤の供給を遮断する請求項１乃至４いずれか記載の現像器。
【請求項６】
前記供給遮断手段は、現像剤の自重によって前記現像剤退避部に現像剤を退避させる請求項５記載の現像器。
【請求項７】
前記供給遮断手段は、前記現像ロールの軸方向に略直交する方向に現像剤を退避させる請求項５又は６記載の現像器。
【請求項８】
前記供給遮断手段は、前記現像ロールを移動させることにより、前記現像ロールへの現像剤の供給を遮断する請求項１記載の現像器。
【請求項９】
前記供給遮断手段は、前記現像ロールが前記像保持体に現像剤を供給した後に残留する現像剤を前記現像剤収容部に回収可能な方向に、前記現像ロールを移動させる請求項８記載の現像器。
【請求項１０】
スリーブ内に磁石を具備し、前記磁石の磁力によって保持する現像剤を像保持体に供給する現像ロールと、
回転軸を中心にして回転する回転体と、
この回転体に設けられ、前記現像ロールに供給する現像剤を収容する複数の現像剤収容部と、
該複数の現像剤収容部が収容する現像剤を前記磁石の磁力作用範囲内へ移動させることにより、前記現像ロールに現像剤を供給する現像剤供給手段と、
前記複数の現像剤収容部が収容する現像剤と前記磁石との距離を、前記磁石の磁力が作用する距離よりも長くすることにより、前記現像ロールへの現像剤の供給を遮断する供給遮断手段と
を有する現像装置。
【請求項１１】
前記供給遮断手段は、前記現像剤収容部が収容する現像剤を前記磁石の磁力作用範囲外へ移動させることにより、前記現像ロールへの現像剤の供給を遮断する請求項１０記載の現像装置。
【請求項１２】
前記供給遮断手段は、前記現像剤収容部を移動させることにより、前記現像剤収容部が収容する現像剤と前記磁石との距離を、前記磁石の磁力が作用する距離よりも長くする請求項１０又は１１記載の現像装置。
【請求項１３】
前記供給遮断手段は、前記回転体を回転又は移動させることにより、前記現像剤収容部が収容する現像剤と前記磁石との距離を、前記磁石の磁力が作用する距離よりも長くする請求項１０乃至１２いずれか記載の現像装置。
【請求項１４】
前記供給遮断手段は、前記回転体の回転又は移動に連動して、前記現像剤供給手段が現像剤を移動させることを停止、または逆方向に移動させることにより、前記現像剤収容部が収容する現像剤と前記磁石との距離を、前記磁石の磁力が作用する距離よりも長くする請求項１３記載の現像装置。
【請求項１５】
前記現像ロールは、前記回転体と対向する位置で前記回転体と異なる方向に回転する部分を有し、前記回転体は、前記現像ロールに残留する現像剤を前記現像剤収容部が回収可能な位置で停止する請求項１０乃至１４いずれか記載の現像装置。
【請求項１６】
前記現像剤収容部は、前記現像ロールから回収する現像剤を該現像剤収容部に案内するよう変形する変形案内部を有する請求項１５記載の現像装置。
【請求項１７】
現像剤を退避させるための現像剤退避部をさらに有し、
前記供給遮断手段は、前記現像剤退避部に現像剤を退避させることにより、前記現像ロールへの現像剤の供給を遮断する請求項１０乃至１６いずれか記載の現像装置。
【請求項１８】
前記供給遮断手段は、現像剤の自重によって前記現像剤退避部に現像剤を退避させる請求項１７記載の現像装置。
【請求項１９】
前記供給遮断手段は、前記現像ロールの軸方向に略直交する方向に現像剤を退避させる請求項１７又は１８記載の現像装置。
【請求項２０】
前記回転体は、前記現像剤退避部に退避した現像剤が自重によって復帰するよう回転する請求項１７乃至１９いずれか記載の現像装置。
【請求項２１】
前記供給遮断手段は、前記現像ロールを移動させることにより、前記現像ロールへの現像剤の供給を遮断する請求項１０記載の現像装置。
【請求項２２】
前記供給遮断手段は、前記回転体の回転方向上流側に前記現像ロールを移動させる請求項２１記載の現像装置。
【請求項２３】
像保持体と、
スリーブ内に磁石を具備し、前記磁石の磁力によって保持する現像剤を前記像保持体に供給する現像ロールと、
この現像ロールに供給する現像剤を収容する現像剤収容部と、
この現像剤収容部が収容する現像剤を前記磁石の磁力作用範囲内へ移動させることにより、前記現像ロールに現像剤を供給する現像剤供給手段と、
前記現像剤収容部が収容する現像剤と前記磁石との距離を、前記磁石の磁力が作用する距離よりも長くすることにより、前記現像ロールへの現像剤の供給を遮断する供給遮断手段と
を有する画像形成装置。
【請求項２４】
像保持体と、
スリーブ内に磁石を具備し、前記磁石の磁力によって保持する現像剤を前記像保持体に供給する現像ロールと、
回転軸を中心にして回転する回転体と、
この回転体に設けられ、前記現像ロールに供給する現像剤を収容する複数の現像剤収容部と、
該複数の現像剤収容部が収容する現像剤を前記磁石の磁力作用範囲内へ移動させることにより、前記現像ロールに現像剤を供給する現像剤供給手段と、
前記複数の現像剤収容部が収容する現像剤と前記磁石との距離を、前記磁石の磁力が作用する距離よりも長くすることにより、前記現像ロールへの現像剤の供給を遮断する供給遮断手段と
を有する画像形成装置。
【発明の詳細な説明】
【技術分野】
【０００１】
本発明は、現像器、現像装置及び画像形成装置に関するものである。
【背景技術】
【０００２】
特許文献１は、１つの現像スリーブと独立的に制御可能な複数の現像粉供給装置を備えた磁気ブラシ現像装置を開示する。特許文献２は、潜像担持体に近接させて配置した現像スリーブと、複数個の現像粉収納容器と、各容器毎にマグネットロールを配設された磁気ブラシ現像装置を開示する。特許文献３は、現像剤収容タンクが複数の種類の現像剤を収容し、現像スリーブと搬送スリーブがそれぞれ１つずつ設けられた多色現像装置を開示する。特許文献４は、回転することによって現像スリーブへ現像剤を送り出すローラと、このローラが停止した場合に現像スリーブのまわりの現像剤を回収する回収部材を有する現像装置を開示する。特許文献５は、現像器に現像液と洗浄液とを交互に循環可能とした液体現像装置を開示する。
【０００３】
【特許文献１】特開昭５４−７３６４６号公報
【特許文献２】特開昭５４−１２４７３３号公報
【特許文献３】特開昭６１−０２０９６１号公報
【特許文献４】特開昭６１−２０１２７１号公報
【特許文献５】特開平５−１５８３２１号公報
【発明の開示】
【発明が解決しようとする課題】
【０００４】
本発明は、現像ロールに現像剤を供給することと、現像ロールへの現像剤の供給を遮断することとを、簡易な構成で生産性を低下させることなく行うことができる現像器、現像装置及び画像形成装置を提供することを目的とする。
【課題を解決するための手段】
【０００５】
上記目的を達成するため、請求項１に係る本発明は、スリーブ内に磁石を具備し、前記磁石の磁力によって保持する現像剤を像保持体に供給する現像ロールと、この現像ロールに供給する現像剤を収容する現像剤収容部と、この現像剤収容部が収容する現像剤を前記磁石の磁力作用範囲内へ移動させることにより、前記現像ロールに現像剤を供給する現像剤供給手段と、前記現像剤収容部が収容する現像剤と前記磁石との距離を、前記磁石の磁力が作用する距離よりも長くすることにより、前記現像ロールへの現像剤の供給を遮断する供給遮断手段とを有する現像器である。
【０００６】
請求項２に係る本発明は、前記供給遮断手段は、前記現像剤収容部が収容する現像剤を前記磁石の磁力作用範囲外へ移動させることにより、前記現像ロールへの現像剤の供給を遮断する請求項１記載の現像器である。
【０００７】
請求項３に係る本発明は、前記供給遮断手段は、前記現像剤収容部を移動させることにより、前記現像剤収容部が収容する現像剤と前記磁石との距離を、前記磁石の磁力が作用する距離よりも長くする請求項１又は２記載の現像器である。
【０００８】
請求項４に係る本発明は、前記供給遮断手段は、前記現像剤供給手段が現像剤を移動させることを停止させることにより、前記現像剤収容部が収容する現像剤と前記磁石との距離を、前記磁石の磁力が作用する距離よりも長くする請求項１乃至３いずれか記載の現像器である。
【０００９】
請求項５に係る本発明は、現像剤を退避させるための現像剤退避部をさらに有し、前記供給遮断手段は、前記現像剤退避部に現像剤を退避させることにより、前記現像ロールへの現像剤の供給を遮断する請求項１乃至４いずれか記載の現像器である。
【００１０】
請求項６に係る本発明は、前記供給遮断手段は、現像剤の自重によって前記現像剤退避部に現像剤を退避させる請求項５記載の現像器である。
【００１１】
請求項７に係る本発明は、前記供給遮断手段は、前記現像ロールの軸方向に略直交する方向に現像剤を退避させる請求項５又は６記載の現像器である。
【００１２】
請求項８に係る本発明は、前記供給遮断手段は、前記現像ロールを移動させることにより、前記現像ロールへの現像剤の供給を遮断する請求項１記載の現像器である。
【００１３】
請求項９に係る本発明は、前記供給遮断手段は、前記現像ロールが前記像保持体に現像剤を供給した後に残留する現像剤を前記現像剤収容部に回収可能な方向に、前記現像ロールを移動させる請求項８記載の現像器である。
【００１４】
請求項１０に係る本発明は、スリーブ内に磁石を具備し、前記磁石の磁力によって保持する現像剤を像保持体に供給する現像ロールと、回転軸を中心にして回転する回転体と、この回転体に設けられ、前記現像ロールに供給する現像剤を収容する複数の現像剤収容部と、該複数の現像剤収容部が収容する現像剤を前記磁石の磁力作用範囲内へ移動させることにより、前記現像ロールに現像剤を供給する現像剤供給手段と、前記複数の現像剤収容部が収容する現像剤と前記磁石との距離を、前記磁石の磁力が作用する距離よりも長くすることにより、前記現像ロールへの現像剤の供給を遮断する供給遮断手段とを有する現像装置である。
【００１５】
請求項１１に係る本発明は、前記供給遮断手段は、前記現像剤収容部が収容する現像剤を前記磁石の磁力作用範囲外へ移動させることにより、前記現像ロールへの現像剤の供給を遮断する請求項１０記載の現像装置である。
【００１６】
請求項１２に係る本発明は、前記供給遮断手段は、前記現像剤収容部を移動させることにより、前記現像剤収容部が収容する現像剤と前記磁石との距離を、前記磁石の磁力が作用する距離よりも長くする請求項１０又は１１記載の現像装置である。
【００１７】
請求項１３に係る本発明は、前記供給遮断手段は、前記回転体を回転又は移動させることにより、前記現像剤収容部が収容する現像剤と前記磁石との距離を、前記磁石の磁力が作用する距離よりも長くする請求項１０乃至１２いずれか記載の現像装置である。
【００１８】
請求項１４に係る本発明は、前記供給遮断手段は、前記回転体の回転又は移動に連動して、前記現像剤供給手段が現像剤を移動させることを停止、または逆方向に移動させることにより、前記現像剤収容部が収容する現像剤と前記磁石との距離を、前記磁石の磁力が作用する距離よりも長くする請求項１３記載の現像装置である。
【００１９】
請求項１５に係る本発明は、前記現像ロールは、前記回転体と対向する位置で前記回転体と異なる方向に回転する部分を有し、前記回転体は、前記現像ロールに残留する現像剤を前記現像剤収容部が回収可能な位置で停止する請求項１０乃至１４いずれか記載の現像装置である。
【００２０】
請求項１６に係る本発明は、前記現像剤収容部は、前記現像ロールから回収する現像剤を該現像剤収容部に案内するよう変形する変形案内部を有する請求項１５記載の現像装置である。
【００２１】
請求項１７に係る本発明は、現像剤を退避させるための現像剤退避部をさらに有し、前記供給遮断手段は、前記現像剤退避部に現像剤を退避させることにより、前記現像ロールへの現像剤の供給を遮断する請求項１０乃至１６いずれか記載の現像装置である。
【００２２】
請求項１８に係る本発明は、前記供給遮断手段は、現像剤の自重によって前記現像剤退避部に現像剤を退避させる請求項１７記載の現像装置である。
【００２３】
請求項１９に係る本発明は、前記供給遮断手段は、前記現像ロールの軸方向に略直交する方向に現像剤を退避させる請求項１７又は１８記載の現像装置である。
【００２４】
請求項２０に係る本発明は、前記回転体は、前記現像剤退避部に退避した現像剤が自重によって復帰するよう回転する請求項１７乃至１９いずれか記載の現像装置である。
【００２５】
請求項２１に係る本発明は、前記供給遮断手段は、前記現像ロールを移動させることにより、前記現像ロールへの現像剤の供給を遮断する請求項１０記載の現像装置である。
【００２６】
請求項２２に係る本発明は、前記供給遮断手段は、前記回転体の回転方向上流側に前記現像ロールを移動させる請求項２１記載の現像装置である。
【００２７】
請求項２３に係る本発明は、像保持体と、スリーブ内に磁石を具備し、前記磁石の磁力によって保持する現像剤を前記像保持体に供給する現像ロールと、この現像ロールに供給する現像剤を収容する現像剤収容部と、この現像剤収容部が収容する現像剤を前記磁石の磁力作用範囲内へ移動させることにより、前記現像ロールに現像剤を供給する現像剤供給手段と、前記現像剤収容部が収容する現像剤と前記磁石との距離を、前記磁石の磁力が作用する距離よりも長くすることにより、前記現像ロールへの現像剤の供給を遮断する供給遮断手段とを有する画像形成装置である。
【００２８】
請求項２４に係る本発明は、像保持体と、スリーブ内に磁石を具備し、前記磁石の磁力によって保持する現像剤を前記像保持体に供給する現像ロールと、回転軸を中心にして回転する回転体と、この回転体に設けられ、前記現像ロールに供給する現像剤を収容する複数の現像剤収容部と、該複数の現像剤収容部が収容する現像剤を前記磁石の磁力作用範囲内へ移動させることにより、前記現像ロールに現像剤を供給する現像剤供給手段と、前記複数の現像剤収容部が収容する現像剤と前記磁石との距離を、前記磁石の磁力が作用する距離よりも長くすることにより、前記現像ロールへの現像剤の供給を遮断する供給遮断手段とを有する画像形成装置である。
【発明の効果】
【００２９】
請求項１に係る本発明によれば、本構成を有していない場合に比較して、現像ロールに現像剤を供給することと、現像ロールへの現像剤の供給を遮断することとを、簡易な構成で生産性を低下させることなく行うことができる。
【００３０】
請求項２に係る本発明によれば、請求項１に係る本発明の効果に加えて、現像剤が移動しない場合に比較して、現像ロールに現像剤を供給することと、現像ロールへの現像剤の供給を遮断することとを、簡易な構成で生産性を低下させることなく行うことができる。
【００３１】
請求項３に係る本発明によれば、請求項１又は２に係る本発明の効果に加えて、現像剤収容部が移動しない場合に比較して、生産性を低下させることなく、現像ロールに現像剤を供給することと、現像ロールへの現像剤の供給を遮断することとを行うことができる。
【００３２】
請求項４に係る本発明によれば、請求項１乃至３いずれかに係る本発明の効果に加えて、現像剤供給手段が現像剤を移動させることを停止させない場合に比較して、生産性を低下させることなく、現像ロールに現像剤を供給することと、現像ロールへの現像剤の供給を遮断することとを行うことができる。
【００３３】
請求項５に係る本発明によれば、請求項１乃至４いずれかに係る本発明の効果に加えて、現像剤退避部を有しない場合に比較して、生産性を低下させることなく、現像ロールに現像剤を供給することと、現像ロールへの現像剤の供給を遮断することとを行うことができる。
【００３４】
請求項６に係る本発明によれば、請求項５に係る本発明の効果に加えて、本構成を有していない場合に比較して、現像ロールに現像剤を供給することと、現像ロールへの現像剤の供給を遮断することとを、簡易な構成で生産性を低下させることなく行うことができる。
【００３５】
請求項７に係る本発明によれば、請求項５又は６に係る本発明の効果に加えて、本構成を有していない場合に比較して、現像ロールに現像剤を供給することと、現像ロールへの現像剤の供給を遮断することとを、簡易な構成で生産性を低下させることなく行うことができる。
【００３６】
請求項８に係る本発明によれば、請求項１に係る本発明の効果に加えて、本構成を有していない場合に比較して、現像ロールに現像剤を供給することと、現像ロールへの現像剤の供給を遮断することとを、簡易な構成で生産性を低下させることなく行うことができる。
【００３７】
請求項９に係る本発明によれば、請求項８に係る本発明の効果に加えて、本構成を有していない場合に比較して、現像ロールに現像剤を供給することと、現像剤を回収することとを、簡易な構成で行うことができる。
【００３８】
請求項１０に係る本発明によれば、本構成を有していない場合に比較して、現像ロールに現像剤を供給することと、現像ロールへの現像剤の供給を遮断することとを、簡易な構成で生産性を低下させることなく行うことができる。
【００３９】
請求項１１に係る本発明によれば、請求項１０に係る本発明の効果に加えて、現像剤が移動しない場合に比較して、現像ロールに現像剤を供給することと、現像ロールへの現像剤の供給を遮断することとを、簡易な構成で生産性を低下させることなく行うことができる。
【００４０】
請求項１２に係る本発明によれば、請求項１０又は１１に係る本発明の効果に加えて、現像剤収容部が移動しない場合に比較して、生産性を低下させることなく、現像ロールに現像剤を供給することと、現像ロールへの現像剤の供給を遮断することとを行うことができる。
【００４１】
請求項１３に係る本発明によれば、請求項１０乃至１２いずれかに係る本発明の効果に加えて、本構成を有していない場合に比較して、現像ロールに現像剤を供給することと、現像ロールへの現像剤の供給を遮断することとを、簡易な構成で生産性を低下させることなく行うことができる。
【００４２】
請求項１４に係る本発明によれば、請求項１３に係る本発明の効果に加えて、本構成を有していない場合に比較して、現像ロールに現像剤を供給することと、現像ロールへの現像剤の供給を遮断することとを、簡易な構成で生産性を低下させることなく行うことができる。
【００４３】
請求項１５に係る本発明によれば、請求項１０乃至１４いずれかに係る本発明の効果に加えて、本構成を有していない場合に比較して、現像ロールに現像剤を供給することと、現像剤を回収することとを、簡易な構成で行うことができる。
【００４４】
請求項１６に係る本発明によれば、請求項１５に係る本発明の効果に加えて、本構成を有していない場合に比較して、回転体の停止位置に対する制限を小さくして、現像剤を回収することができる。
【００４５】
請求項１７に係る本発明によれば、請求項１０乃至１６いずれかに係る本発明の効果に加えて、現像剤退避部を有しない場合に比較して、生産性を低下させることなく、現像ロールに現像剤を供給することと、現像ロールへの現像剤の供給を遮断することとを行うことができる。
【００４６】
請求項１８に係る本発明によれば、請求項１７に係る本発明の効果に加えて、本構成を有していない場合に比較して、現像ロールに現像剤を供給することと、現像ロールへの現像剤の供給を遮断することとを、簡易な構成で生産性を低下させることなく行うことができる。
【００４７】
請求項１９に係る本発明によれば、請求項１７又は１８に係る本発明の効果に加えて、本構成を有していない場合に比較して、現像ロールに現像剤を供給することと、現像ロールへの現像剤の供給を遮断することとを、簡易な構成で生産性を低下させることなく行うことができる。
【００４８】
請求項２０に係る本発明によれば、請求項１７乃至１９いずれかに係る本発明の効果に加えて、本構成を有していない場合に比較して、現像ロールに現像剤を供給することと、現像ロールへの現像剤の供給を遮断することとを、簡易な構成で生産性を低下させることなく行うことができる。
【００４９】
請求項２１に係る本発明によれば、請求項１０に係る本発明の効果に加えて、本構成を有していない場合に比較して、現像ロールに現像剤を供給することと、現像ロールへの現像剤の供給を遮断することとを、簡易な構成で生産性を低下させることなく行うことができる。
【００５０】
請求項２２に係る本発明によれば、請求項２１に係る本発明の効果に加えて、本構成を有していない場合に比較して、現像ロールに現像剤を供給することと、現像ロールへの現像剤の供給を遮断することとを、簡易な構成で生産性を低下させることなく行うことができる。
【００５１】
請求項２３に係る本発明によれば、本構成を有していない場合に比較して、現像ロールに現像剤を供給することと、現像ロールへの現像剤の供給を遮断することとを、簡易な構成で生産性を低下させることなく行うことができる。
【００５２】
請求項２４に係る本発明によれば、本構成を有していない場合に比較して、現像ロールに現像剤を供給することと、現像ロールへの現像剤の供給を遮断することとを、簡易な構成で生産性を低下させることなく行うことができる。
【発明を実施するための最良の形態】
【００５３】
次に本発明の第１の実施形態を図面に基づいて説明する。
図１において、本発明の第１の実施形態に係る画像形成装置１０の概要が示されている。画像形成装置１０は、画像形成装置本体１２を有し、この画像形成装置本体１２の背面側（図１において右側）に例えば１段の給紙ユニット１４が配置されている。
【００５４】
給紙ユニット１４は、用紙が収容される給紙カセット１６を有する。給紙カセット１６の上部には、給紙カセット１６から用紙を取り出す取り出しロール１８が配置され、この取り出しロール１８の前方に供給ロール２０及び捌きロール２２が配置されている。
【００５５】
供給ロール２０は、図示しない駆動部によって駆動され、用紙を後述する搬送路２４に向けて供給するように回転する。捌きロール２２は、供給ロール２０に対して圧接され、供給ロール２０の回転に応じて回転可能にされており、供給ロール２０とともに用紙を１枚ずつ後述する搬送路２４に向けて供給するように回転する。
【００５６】
搬送路２４は、供給ロール２０から排出口２６までの用紙通路であり、この搬送路２４は、画像形成装置本体１２の上部にあって、給紙ユニット１４から排出口２６まで略水平に形成されている。この搬送路２４の定着装置２８の上流側に後述する二次転写ロール６０と二次転写バックアップロール５４とが配置され、二次転写ロール６０と二次転写バックアップロール５４の上流側にレジストロール３０が配置されている。また、搬送路２４の排出口２６の近傍には排出ロール３２が配置されている。
【００５７】
したがって、給紙ユニット１４の給紙カセット１６から取り出しロール１８により取り出された用紙は、供給ロール２０及び捌きロール２２により捌かれて最上部の用紙のみ搬送路２４に導かれ、レジストロール３０により一時停止され、タイミングをとって後述する二次転写ロール６０と二次転写バックアップロール５４との間を通って現像剤像が転写され、この転写された現像剤像が定着装置２８により定着され、排出ロール３２により排出口２６から排出される。
【００５８】
画像形成装置本体１２には、例えば略中央部に現像装置３４が配置されている。現像装置３４は、イエロー（Ｙｅｌｌｏｗ）、マゼンタ（Ｍａｇｅｎｔａ）、シアン（Ｃｙａｎ）及び黒（Ｂｌａｃｋ）の４色の現像剤により、後述する像保持体３６が保持する静電潜像を可視化する。
【００５９】
現像装置３４には、例えば感光体からなる像保持体３６が画像形成装置１０の正面側（図１において左側）の上方から当接するように配置されている。像保持体３６の背面側には、該像保持体３６を一様帯電する例えば帯電ロールからなる帯電装置３８が設けられている。つまり像保持体３６には、現像バイアスがかけられている。また、像保持体３６には、該像保持体３６の回転方向の帯電装置３８よりも上流側に像保持体用クリーナ４０が当接している。像保持体用クリーナ４０は、例えば一次転写後に像保持体３６に残留する現像剤を掻き取る。
【００６０】
現像装置３４の上方には、帯電装置３８により帯電された像保持体３６に、レーザ光などの光線により潜像を書き込む露光装置４２が配置されている。また、像保持体３６の正面側には、現像装置３４によって可視化された現像剤像を一次転写位置で一次転写され、後述する二次転写位置まで搬送する中間転写装置４４が設けられている。
【００６１】
中間転写装置４４は、例えば中間転写ベルトなどの中間転写体４６、一次転写ロール４８、支持ロール５０，５２、二次転写位置で二次転写ロール６０に対向し、中間転写体４６を支持する二次転写バックアップロール５４、テンションロール５６，５８から構成される。中間転写体４６は、一次転写ロール４８の上流に配置された支持ロール５０と、一次転写ロール４８の下流に配置された支持ロール５２との間で像保持体３６にラップ状に当接する一次転写部を有し、像保持体３６に所定の範囲だけ巻きついて、像保持体３６の回転に従って回転する。テンションロール５６，５８は、中間転写体４６に所定の張力を与えている。そして、中間転写体４６は、一次転写ロール４８によって像保持体３６上の現像剤像を例えばイエロー、マゼンタ、シアン、黒の順に重ねて一次転写され、この一次転写された現像剤像を後述する二次転写ロール６０に向けて搬送する。
【００６２】
中間転写装置４４の二次転写バックアップロール５４には、搬送路２４を挟んで二次転写ロール６０が配置されている。つまり、二次転写ロール６０と二次転写バックアップロール５４との間が二次転写位置となっており、二次転写ロール６０は、二次転写バックアップロール５４の補助により、中間転写体４６に一次転写された現像剤像を二次転写位置で用紙に二次転写する。ここで、二次転写ロール６０は、中間転写体４６が３回転する間、すなわちイエロー、マゼンタ、シアンの３色の現像剤像を搬送する間は中間転写体４６から離間しており、黒の現像剤像が転写されると中間転写体４６に当接するようにされている。なお、二次転写ロール６０と二次転写バックアップロール５４との間には、所定の電位差が生じるようにされており、例えば二次転写ロール６０を高電圧にした場合には、二次転写バックアップロール５４はグランド（ＧＮＤ）などに接続される。
【００６３】
搬送路２４の二次転写位置の下流には、定着装置２８が配置されている。定着装置２８は、加熱ロールと加圧ロールとを有し、二次転写ロール６０及び二次転写バックアップロール５４により用紙に二次転写された現像剤像を用紙に定着させ、排出ロール３２に向けて搬送する。
【００６４】
また、画像形成装置１０の内部には、画像形成装置１０を構成する各部を制御する制御部６２が設けられている。
【００６５】
次に現像装置３４について詳述する。
図２において、現像装置３４が示されている。現像装置３４は、現像装置本体６６、現像ロール６８及び層厚規制部材７０を有する。
【００６６】
現像装置本体（回転体）６６は、イエロー（Ｙｅｌｌｏｗ）、マゼンタ（Ｍａｇｅｎｔａ）、シアン（Ｃｙａｎ）及び黒（Ｂｌａｃｋ）の現像剤をそれぞれ収容する現像剤収容器８０ａ〜８０ｄが設けられており、回転軸８２を中心として例えば反時計回り（図２において左回り）に回転可能にされ、現像剤収容器８０ａ〜８０ｄが回転軸８２を中心とした現像剤収容器切り換え経路に沿って順次に現像ロール６８に対向する位置に移動するようにされている。
【００６７】
現像剤収容器８０ａ〜８０ｄは、開口部８４ａ〜８４ｄ、第１の攪拌搬送部材８６ａ〜８６ｄ及び第２の攪拌搬送部材８８ａ〜８８ｄが設けられており、現像ロール６８に供給する上述した４色の現像剤を個別に収容する。また、現像剤収容器８０ａ〜８０ｄは、例えば、現像装置本体６６の回転に応じて、開口部８４ａ〜８４ｄが正面側（図２において左側）の上方を向いたまま現像剤収容器切り換え経路に沿って移動するようにされている。さらに、現像剤収容器８０ａ〜８０ｄは、現像ロール６８に対向する位置に移動した場合に、上述した現像剤収容器切り換え経路から例えば上方へ外れた現像剤供給回収位置へ移動可能にされている。
【００６８】
第１の攪拌搬送部材８６は、例えば螺旋形状の部材であって反時計回り（図２において左回り）に回転し、現像剤を攪拌しつつ第２の攪拌搬送部材８８へ搬送する。第２の攪拌搬送部材８８は、例えば螺旋形状の部材であって反時計回りに回転し、現像剤を攪拌するとともに、現像剤供給回収位置に現像剤収容器８０が移動した場合に現像剤を現像ロール６８に供給する。また、第１の攪拌搬送部材８６及び第２の攪拌搬送部材８８は、現像剤を攪拌しつつ搬送し、現像剤収容器８０内で循環させている。そして、現像剤収容器８０が現像剤供給回収位置に移動すると、現像剤収容器８０内の現像剤が現像ロール６８に供給されるとともに、現像ロール６８に残留する現像剤が現像ロール６８から現像剤収容器８０に回収されるようになっている。
【００６９】
なお、現像剤収容器８０ａ〜８０ｄが収容している現像剤は、例えば非磁性トナー及び磁性キャリアを有する２成分現像剤であり、第１の攪拌搬送部材８６ａ〜８６ｄ及び第２の攪拌搬送部材８８ａ〜８８ｄによって攪拌されることにより、磁性キャリアの周囲に非磁性トナーが付着するようにされている。
以下、現像剤収容器８０ａ〜８０ｄなど複数ある構成部分のいずれかを特定せずに示す場合には、単に「現像剤収容器８０」などと略記することがある。
【００７０】
現像ロール６８は、軸方向に延びたＮ極及びＳ極を複数備えて固定された略円柱状の磁石９０と、この磁石９０を内部に収容して例えば反時計回り（図２において左回り）に回転し、該磁石９０の磁力に応じて現像剤を周方向に搬送するスリーブ９２とを有する。磁石９０には、像保持体３６に対向して配置されて現像ロール６８上の現像剤を像保持体３６へ供給する磁極（現像極）と、現像剤収容器８０側上部に配置されて現像剤収容器８０から現像剤を引き付ける磁極（引付極）と、現像剤収容器８０側下部に配置されて現像剤を反発させる磁極（剥離極：例えば隣接する２つのＳ極）とが設けられている。
層厚規制部材７０は、現像ロール６８の表面に付着した（現像ロール６８が保持した）現像剤の層厚を規制する。
【００７１】
次に、現像ロール６８への現像剤の供給と、現像ロール６８からの現像剤の回収について説明する。
図３は、現像剤収容器８０が現像剤供給回収位置へ移動した状態を示す拡大図である。現像剤収容器８０の現像剤供給回収位置は、上述したように、現像剤収容器８０が現像装置本体６６の回転に応じて移動する現像剤収容器切り換え経路上で現像ロール６８に対向する位置に移動した場合に、さらに現像剤収容器８０が現像剤収容器切り換え経路から上方に移動した位置である。
【００７２】
現像剤収容器８０が現像剤供給回収位置に移動した場合に、上述した磁石９０の引付極から現像剤の上面までの距離Ｌ１が、現像剤を引き付けるように引付極の磁力が作用する距離Ｌ０以下になり、現像剤収容器８０内の現像剤が引付極の磁力によってスリーブ９２の表面に付着する。つまり、現像剤収容器８０に収容された現像剤が現像ロール６８に供給される。
【００７３】
現像ロール６８に供給された現像剤は、上述した磁石９０の現像極の作用によって像保持体３６へ供給される。また、スリーブ９２の表面に残留する現像剤は、上述した磁石９０の剥離極の作用によって剥離され、現像剤収容器８０に回収される。
【００７４】
次に、現像ロール６８への現像剤供給の遮断について説明する。
図４は、現像剤収容器８０から現像ロール６８への現像剤の供給を遮断するために、下方へ移動した状態の現像剤収容器８０及びその周辺を示す概略図であって、（Ａ）は側面図であり、（Ｂ）は正面図である。
現像ロール６８が像保持体３６に対して現像剤を供給し、像保持体３６が保持する静電潜像が可視化されると、制御部６２は、現像ロール６８への現像剤の供給を遮断する。
現像剤収容器８０から現像ロール６８への現像剤の供給を遮断する場合、制御部６２は、現像剤収容器８０を現像剤供給回収位置から上述した現像剤収容器切り換え経路へ向けて下降させる。現像剤収容器８０が下降すると、図４（Ｂ）に示すように、画像形成装置本体１２に設けられた駆動伝達部１００と、現像剤収容器８０に設けられた駆動伝達部１０２との連結が解除されるようになっている。第１の攪拌搬送部材８６及び第２の攪拌搬送部材８８は、駆動伝達部１００と駆動伝達部１０２との連結が解除されると、回転が停止するようにされている。
【００７５】
図４（Ａ）に示すように、現像剤収容器８０が現像剤収容器切り換え経路上に移動し、第１の攪拌搬送部材８６及び第２の攪拌搬送部材８８の回転が停止すると、または逆回転することにより現像剤収容器８０に収容された現像剤の上面の傾斜がなくなる、または逆に傾斜することにより、上述した磁石９０の引付極から現像剤の上面までの距離Ｌ２が、現像剤を引き付けるように引付極の磁力が作用する距離Ｌ０よりも長くなる。距離Ｌ２が距離Ｌ０よりも長くなると、現像剤収容器８０内の現像剤に対して磁石９０の引付極の磁力が作用しないので、現像剤収容器８０から現像ロール６８への現像剤の供給が遮断される。
【００７６】
なお、現像装置３４は、現像剤収容器８０を現像剤供給回収位置から現像剤収容器切り換え経路へ向けて下降させること、又は、第１の攪拌搬送部材８６及び第２の攪拌搬送部材８８の回転を停止させることのいずれかによって、距離Ｌ２が距離Ｌ０よりも長くなるように構成されてもよい。
【００７７】
次に、本発明の第１の実施形態に係る画像形成装置１０の作用について説明する。
画像形成信号が送られると、像保持体３６が帯電装置３８により一様に帯電され、この帯電された像保持体３６には、画像信号に基づいて露光装置４２から光線が出射される。露光装置４２からの光線は、像保持体３６の表面を露光し、静電潜像が形成される。
【００７８】
像保持体３６に保持された静電潜像は、現像剤の色ごとに現像装置３４により現像され、中間転写体４６に一次転写される。そして、中間転写体４６上で各色の現像剤像が重ね合わされて、カラー画像が形成される。
ここで、現像ロール６８には、現像剤収容器８０ａ〜８０ｄからイエロー、マゼンタ、シアン及び黒の現像剤がそれぞれ供給される。そして、現像ロール６８に過剰に供給された現像剤は、現像ロール６８に次の色の現像剤が供給される前に同じ色の現像剤収容器８０に回収される。また、現像剤収容器８０ａ〜８０ｄは、現像ロール６８による１つの色の現像が終わるごとに、現像ロール６８への現像剤の供給を遮断する。一次転写において、像保持体３６に残留する廃現像剤は、像保持体用クリーナ４０によって掻き取られ、回収される。
【００７９】
一方、給紙信号等により、給紙カセット１６に収容された用紙は、取り出しロール１８により取り出され、供給ロール２０及び捌きロール２２により捌かれて最上部の用紙のみ搬送路２４に導かれ、レジストロール３０により一次停止され、タイミングをとって二次転写ロール６０と二次転写バックアップロール５４との間に導かれる。用紙が二次転写ロール６０と二次転写バックアップロール５４との間に導かれると、中間転写体４６に一次転写されている現像剤像が二次転写ロール６０と二次転写バックアップロール５４とによって用紙に二次転写される。
【００８０】
現像剤像を転写された用紙は、定着装置２８に導かれ、加熱ロールと加圧ロールとによって現像剤像を定着される。現像剤像が定着した用紙は、排出ロール３２により排出口２６から排出される。
【００８１】
なお、画像形成装置１０は、例えばモノクロ画像のみを形成するものであってもよく、例えば、現像装置３４が、１つの現像剤収容器８０、現像ロール６８及び層厚規制部材７０を具備し、１色の現像剤で静電潜像を可視化する現像器として構成されてもよい。
【００８２】
次に、現像装置３４の変形例について説明する。
図５は、現像装置３４の第１の変形例における現像剤収容器８０及びその周辺を示す側面図である。以下、現像装置３４の変形例において、図２乃至図４に示した現像装置３４を構成する部分と実質的に同一のものには、同一の符号が付してある。
図５に示した現像剤収容器８０は、現像剤供給回収位置から現像剤収容器切り換え経路へ向けて移動する場合に、鉛直方向下方に限定されることなく移動するようにされている。ただし、現像剤収容器８０は、収容している現像剤（又は開口部８４）が移動する方向に、磁石９０の周方向で引付極に近づく方向の成分が含まれないように移動するようにされている。
【００８３】
図６は、現像装置３４の第２の変形例における現像剤収容器８０及びその周辺を示す側面図である。
図６に示した現像剤収容器８０は、現像剤供給回収位置から現像剤収容器切り換え経路へ向けて移動する場合に、現像ロール６８から回収する現像剤を現像剤収容器８０に案内するよう変形する変形案内部１０４が設けられている。変形案内部１０４は、例えば現像剤収容器８０が現像剤供給回収位置から現像剤収容器切り換え経路へ向けて移動する場合にスライドするスライド部１０６を含み、このスライド部１０６が移動することによって変形する。
なお、現像剤収容器８０が移動する方向は、図５に示した第１の変形例のように、収容している現像剤（又は開口部８４）が移動する方向に、磁石９０の周方向で引付極に近づく方向の成分が含まれないように移動するようにされている。
【００８４】
図７は、現像装置３４の第３の変形例における現像剤収容器８０及びその周辺を示す側面図である。
図７に示した現像剤収容器８０は、現像剤収容器８０から現像ロール６８への現像剤の供給を遮断する場合、例えば第２の攪拌搬送部材８８の回転軸を中心に下方へ揺れ動くことにより、磁石９０の引付極から現像剤の上面までの距離Ｌ２を上述した距離Ｌ０よりも長くするようにされている。
【００８５】
図８は、現像装置３４の第４の変形例における現像剤収容器８０及びその周辺を上方から見た断面図であって、（Ａ）は現像剤収容器８０から現像ロール６８へ現像剤を供給している状態を示す断面図であり、（Ｂ）は現像剤収容器８０から現像ロール６８への現像剤の供給を遮断している状態を示す断面図である。
図８に示した現像剤収容器８０は、第２の攪拌搬送部材８８の軸方向に設けられた空間である現像剤退避部１１０を有する。
【００８６】
図８（Ａ）に示すように、現像剤収容器８０から現像ロール６８へ現像剤を供給する場合、第１の攪拌搬送部材８６及び第２の攪拌搬送部材８８が正回転し、現像剤退避部１１０には現像剤が流れ込まないようにされている。
【００８７】
一方、図８（Ｂ）に示すように、現像剤収容器８０から現像ロール６８への現像剤の供給を遮断する場合、制御部６２は、第１の攪拌搬送部材８６の回転を停止させ、第２の攪拌搬送部材８８を逆回転させることによって、第２の攪拌搬送部材８８の周辺の現像剤を現像剤退避部１１０へ退避させる。
【００８８】
なお、現像剤収容器８０から現像ロール６８への現像剤の供給を遮断した状態から、現像ロール６８へ現像剤を供給するように変更する場合、制御部６２は、第２の攪拌搬送部材８８を正転させることによって、現像剤退避部１１０へ退避させた現像剤を第２の攪拌搬送部材８８の周辺に移動させる。
【００８９】
図９は、現像装置３４の第５の変形例における現像剤収容器８０及びその周辺を示す側面図であって、（Ａ）は現像剤収容器８０から現像ロール６８へ現像剤を供給している状態を示す側面図であり、（Ｂ）は現像剤収容器８０から現像ロール６８への現像剤の供給を遮断している状態を示す側面図である。
図９に示した現像剤収容器８０には、第１の攪拌搬送部材８６が搬送する現像剤の上面の高さと、第２の攪拌搬送部材８８が搬送する現像剤の上面の高さとに差を生じさせることが可能なように、現像剤収容器８０内を仕切る仕切板１１４が設けられている。
【００９０】
図９（Ａ）に示すように、現像剤収容器８０から現像ロール６８へ現像剤を供給する場合、仕切板１１４は、制御部６２の制御により、第１の攪拌搬送部材８６が搬送する現像剤の上面の高さと、第２の攪拌搬送部材８８が搬送する現像剤の上面の高さとに差を生じさせ、磁石９０の引付極から第２の攪拌搬送部材８８が搬送する現像剤の上面までの距離Ｌ１が、現像剤を引き付けるように引付極の磁力が作用する距離Ｌ０以下になるようにしている。
【００９１】
一方、図９（Ｂ）に示すように、現像剤収容器８０から現像ロール６８への現像剤の供給を遮断する場合、第１の攪拌搬送部材８６が搬送する現像剤の上面の高さと、第２の攪拌搬送部材８８が搬送する現像剤の上面の高さとが略同じになるように、仕切板１１４は、制御部６２の制御によって下方へ下げられる。仕切板１１４が下方へ下げられると、磁石９０の引付極から第２の攪拌搬送部材８８が搬送する現像剤の上面までの距離Ｌ３が、現像剤を引き付けるように引付極の磁力が作用する距離Ｌ０よりも長くなる。距離Ｌ３が距離Ｌ０よりも長くなると、現像剤収容器８０内の現像剤に対して磁石９０の引付極の磁力が作用しないので、現像剤収容器８０から現像ロール６８への現像剤の供給が遮断される。
【００９２】
なお、現像剤収容器８０から現像ロール６８への現像剤の供給を遮断した状態から、現像ロール６８へ現像剤を供給するように変更する場合、制御部６２は、仕切板１１４を上方に上げて、第１の攪拌搬送部材８６が搬送する現像剤の上面の高さと、第２の攪拌搬送部材８８が搬送する現像剤の上面の高さとに差を生じさせ、磁石９０の引付極から第２の攪拌搬送部材８８が搬送する現像剤の上面までの距離が距離Ｌ１になるようにする。
【００９３】
図１０は、現像装置３４の第６の変形例における現像剤収容器８０及びその周辺を示す側面図であって、（Ａ）は現像剤収容器８０から現像ロール６８へ現像剤を供給している状態を示す側面図であり、（Ｂ）は現像剤収容器８０から現像ロール６８への現像剤の供給を遮断している状態を示す側面図である。
図１０に示した現像剤収容器８０には、制御部６２の制御に応じて支点１１６を中心に現像剤収容器８０の第２の攪拌搬送部材８８側の下部を開閉する開閉部材１１８と、第２の攪拌搬送部材８８の下方に位置する現像剤退避部１２０とが設けられている。開閉部材１１８は、閉じられることによって第２の攪拌搬送部材８８が搬送する現像剤を下方から支持し、開かれることによって現像剤を現像剤退避部１２０に退避させる。
【００９４】
図１０（Ａ）に示すように、現像剤収容器８０から現像ロール６８へ現像剤を供給する場合、開閉部材１１８が現像剤収容器８０の第２の攪拌搬送部材８８側の下部を閉じており、磁石９０の引付極から第２の攪拌搬送部材８８が搬送する現像剤の上面までの距離Ｌ１が、現像剤を引き付けるように引付極の磁力が作用する距離Ｌ０以下になるようにされている。
【００９５】
一方、図１０（Ｂ）に示すように、現像剤収容器８０から現像ロール６８への現像剤の供給を遮断する場合、開閉部材１１８が下方に開かれることにより、第２の攪拌搬送部材８８が搬送しつつ現像ロール６８に供給していた現像剤が現像剤退避部１２０へ落下（退避）する。現像剤が現像剤退避部１２０へ退避すると、磁石９０の引付極から退避した現像剤の上面までの距離Ｌ４が、現像剤を引き付けるように引付極の磁力が作用する距離Ｌ０よりも長くなる。距離Ｌ４が距離Ｌ０よりも長くなると、現像剤に対して磁石９０の引付極の磁力が作用しないので、現像剤収容器８０から現像ロール６８への現像剤の供給が遮断される。
【００９６】
なお、現像剤収容器８０から現像ロール６８への現像剤の供給を遮断した状態から、現像ロール６８へ現像剤を供給するように変更する場合、制御部６２は、開閉部材１１８を閉じることによって現像剤退避部１２０に退避している現像剤を第２の攪拌搬送部材８８の周囲へ移動させ、磁石９０の引付極から第２の攪拌搬送部材８８が搬送する現像剤の上面までの距離が距離Ｌ１になるようにする。
【００９７】
図１１は、現像装置３４の第７の変形例における現像剤収容器８０及びその周辺を示す側面図である。
図１１に示した現像剤収容器８０には、制御部６２の制御に応じて現像剤収容器８０の第２の攪拌搬送部材８８側の下部を開閉する第１の開閉部材１２２と、開口部８４を開閉する第２の開閉部材１２４と、第２の攪拌搬送部材８８の下方に位置する現像剤退避部１２６が設けられている。
【００９８】
第１の開閉部材１２２は、スライドして閉じられることによって第２の攪拌搬送部材８８が搬送する現像剤を下方から支持し、開かれることによって現像剤を現像剤退避部１２０に退避させる。
例えば、現像剤収容器８０から現像ロール６８へ現像剤を供給する場合、第１の開閉部材１２２が現像剤収容器８０の第２の攪拌搬送部材８８側の下部を閉じることにより、磁石９０の引付極から第２の攪拌搬送部材８８が搬送する現像剤の上面までの距離が、現像剤を引き付けるように引付極の磁力が作用する距離以下になるようにされている。つまり、現像剤に対して磁石９０の引付極の磁力が作用し、現像剤収容器８０から現像ロール６８へ現像剤が供給される。
また、現像剤収容器８０から現像ロール６８への現像剤の供給を遮断する場合、第１の開閉部材１２２が下方に開かれることにより、第２の攪拌搬送部材８８が搬送しつつ現像ロール６８に供給していた現像剤が現像剤退避部１２６へ落下（退避）する。現像剤が現像剤退避部１２６へ退避すると、磁石９０の引付極から退避した現像剤の上面までの距離が、現像剤を引き付けるように引付極の磁力が作用する距離よりも長くなる。つまり、現像剤に対して磁石９０の引付極の磁力が作用しないので、現像剤収容器８０から現像ロール６８への現像剤の供給が遮断される。
なお、現像剤収容器８０から現像ロール６８へ現像剤を供給する場合、及び現像剤収容器８０から現像ロール６８への現像剤の供給を遮断する場合には、第２の開閉部材１２４は開かれている。
【００９９】
一方、現像剤収容器８０から現像ロール６８への現像剤の供給を遮断した状態から、現像ロール６８へ現像剤を供給するように変更する場合、制御部６２は、まず第２の開閉部材１２４を閉じて現像装置本体６６を例えば１８０度回転させる。現像剤収容器８０が現像ロール６８から離れるように現像装置本体６６が１８０度回転すると、現像剤退避部１２６は第２の攪拌搬送部材８８よりも上方に位置することとなり、現像剤退避部１２６に退避していた現像剤が第２の攪拌搬送部材８８の周囲に自重で落下する。現像剤退避部１２６に退避していた現像剤が第２の攪拌搬送部材８８の周囲に自重で落下すると、現像剤退避部１２６が空になるので、制御部６２は、第１の開閉部材１２２を閉じることにより、現像剤が現像剤退避部１２６へ移動しないようにする。このように、制御部６２は、現像剤退避部１２６に退避していた現像剤を現像装置本体６６の回転によって第２の攪拌搬送部材８８の周囲に戻す。
現像剤が第２の攪拌搬送部材８８の周囲に戻されて、第１の開閉部材１２２が閉じられると、制御部６２は、現像装置本体６６を１８０度回転させて、現像剤収容器８０から現像ロール６８へ現像剤を供給することができる状態に戻す。
【０１００】
図１２は、現像装置３４の第８の変形例において、現像ロール６８へ現像剤を供給する状態から、現像ロール６８への現像剤の供給を遮断する状態へ変化する場合の現像ロール６８、現像剤収容器８０及びその周辺を示す側面図である。
図１２に示すように、現像装置３４は、現像ロール６８へ現像剤を供給する状態から、現像ロール６８への現像剤の供給を遮断する状態へ変化する場合、現像剤収容器８０ではなく現像ロール６８が現像装置本体６６の回転方向とは逆方向に移動する。現像ロール６８が現像装置本体６６の回転方向とは逆方向に移動すると、磁石９０の引付極から現像剤収容器８０内の現像剤の上面までの距離Ｌ５が、現像剤を引き付けるように引付極の磁力が作用する距離Ｌ０よりも長くなる。距離Ｌ５が距離Ｌ０よりも長くなると、現像剤に対して磁石９０の引付極の磁力が作用しないので、現像剤収容器８０から現像ロール６８への現像剤の供給が遮断される。
【０１０１】
なお、現像剤収容器８０から現像ロール６８への現像剤の供給を遮断した状態から、現像ロール６８へ現像剤を供給するように変更する場合、制御部６２は、現像ロール６８を所定の位置（現像位置）に戻し、磁石９０の引付極から第２の攪拌搬送部材８８が搬送する現像剤の上面までの距離が上述した距離Ｌ１になるようにする。
【図面の簡単な説明】
【０１０２】
【図１】本発明の第１の実施形態に係る画像形成装置の概要を示す側面図である。
【図２】本発明の実施形態に係る現像装置を示す側面図である。
【図３】現像剤収容器が現像剤供給回収位置へ移動した状態を示す拡大図である。
【図４】現像剤収容器から現像ロールへの現像剤の供給を遮断するために、下方へ移動した状態の現像剤収容器及びその周辺を示す概略図であって、（Ａ）は側面図であり、（Ｂ）は正面図である。
【図５】現像装置の第１の変形例における現像剤収容器及びその周辺を示す側面図である。
【図６】現像装置の第２の変形例における現像剤収容器及びその周辺を示す側面図である。
【図７】現像装置の第３の変形例における現像剤収容器及びその周辺を示す側面図である。
【図８】現像装置の第４の変形例における現像剤収容器及びその周辺を示す上方から見た断面図であって、（Ａ）は現像剤収容器から現像ロールへ現像剤を供給している状態を示す断面図であり、（Ｂ）は現像剤収容器から現像ロールへの現像剤の供給を遮断している状態を示す断面図である。
【図９】現像装置の第５の変形例における現像剤収容器及びその周辺を示す側面図であって、（Ａ）は現像剤収容器から現像ロールへ現像剤を供給している状態を示す側面図であり、（Ｂ）は現像剤収容器から現像ロールへの現像剤の供給を遮断している状態を示す側面図である。
【図１０】現像装置の第６の変形例における現像剤収容器及びその周辺を示す側面図であって、（Ａ）は現像剤収容器から現像ロールへ現像剤を供給している状態を示す側面図であり、（Ｂ）は現像剤収容器から現像ロールへの現像剤の供給を遮断している状態を示す側面図である。
【図１１】現像装置の第７の変形例における現像剤収容器及びその周辺を示す側面図である。
【図１２】現像装置の第８の変形例において、現像ロールへ現像剤を供給する状態から、現像ロールへの現像剤の供給を遮断する状態へ変化する場合の現像ロール、現像剤収容器及びその周辺を示す側面図である。
【符号の説明】
【０１０３】
１０    画像形成装置
１４    給紙ユニット
２４    搬送路
２８    定着装置
３４    現像装置
３６    像保持体
３８    帯電装置
４２    露光装置
４４    中間転写装置
５４    二次転写バックアップロール
６０    二次転写ロール
６２    制御部
６６    現像装置本体
６８    現像ロール
７０    層厚規制部材
８０ａ〜８０ｄ    現像剤収容器
８２    回転軸
８４ａ〜８４ｄ    開口部
８６ａ〜８６ｄ    第１の攪拌搬送部材
８８ａ〜８８ｄ    第２の攪拌搬送部材
９０    磁石
９２    スリーブ
１００，１０２    駆動伝達部
１０４    変形案内部
１１０    現像剤退避部
１１４    仕切板
１１８    開閉部材
１２０    現像剤退避部
１２２    第１の開閉部材
１２４    第２の開閉部材
１２６    現像剤退避部
【図１】
2009198977.tif 000003
【図２】
2009198977.tif 000004
【図３】
2009198977.tif 000005
【図４】
2009198977.tif 000006
【図５】
2009198977.tif 000007
【図６】
2009198977.tif 000008
【図７】
2009198977.tif 000009
【図８】
2009198977.tif 000010
【図９】
2009198977.tif 000011
【図１０】
2009198977.tif 000012
【図１１】
2009198977.tif 000013
【図１２】
2009198977.tif 000014